(57)【要約】【課題】電子時計を複数並べて背景画像を連動してスクロール表示できるようにする。【解決手段】電子時計１は、表示部８０と、時刻を計時する計時部６６と、背景画像を記憶する記憶部７２と、計時部６６の計時時刻を表示部８０に表示させると共に、表示部８０に背景画像をスクロール表示させる制御部５０と、操作部１０Ａ，１０Ｂと、を備え、背景画像は、表示部８０の表示領域より表示サイズが大きい長尺状の画像であり、制御部５０は、背景画像をスクロール表示させる場合、表示領域に表示される１画面分の背景画像の表示範囲を、背景画像の長手方向に沿って同じ方向に一定の速度で移動させ、表示範囲の位置を調整する場合、操作部１０Ａ，１０Ｂの操作に応じて表示範囲を長手方向に沿って移動させる。【選択図】図２
2017083176.tif 000002
【特許請求の範囲】
【請求項１】
表示部と、
時刻を計時する計時部と、
背景画像を記憶する記憶部と、
前記計時部の計時時刻を前記表示部に表示させると共に、前記表示部に前記背景画像をスクロール表示させる制御部と、
操作部と、を備え、
前記背景画像は、前記表示部の表示領域より表示サイズが大きい長尺状の画像であり、
前記制御部は、
前記背景画像をスクロール表示させる場合、前記表示領域に表示される１画面分の前記背景画像の表示範囲を、前記背景画像の長手方向に沿って同じ方向に一定の速度で移動させ、
前記表示範囲の位置を調整する場合、前記操作部の操作に応じて前記表示範囲を前記長手方向に沿って移動させる
ことを特徴とする電子時計。
【請求項２】
前記制御部は、前記表示範囲の位置を調整する場合、前記操作部の操作に応じて前記表示範囲を前記長手方向に沿って１画面単位で移動させる
ことを特徴とする請求項１に記載の電子時計。
【請求項３】
前記背景画像は、前記長手方向に所定の幅を有する複数の分割画像により構成され、
前記所定の幅は、前記表示領域の前記長手方向の長さの１／Ｎ（Ｎは１以上の整数）であり、
前記制御部は、前記表示範囲の位置を調整する場合、前記操作部の操作に応じて前記表示範囲を前記長手方向に沿って前記分割画像単位で移動させる
ことを特徴とする請求項１に記載の電子時計。
【請求項４】
前記背景画像は、前記長手方向に所定の幅を有する複数の分割画像により構成され、
前記所定の幅は、前記表示領域の前記長手方向の長さの１／Ｎ（Ｎは１以上の整数）であり、
前記背景画像のスクロール表示を更新する更新時刻が所定の時間間隔に従って複数定められ、
前記制御部は、前記背景画像をスクロール表示させる場合、前記計時部の計時時刻が前記更新時刻になる毎に、前記表示範囲を前記長手方向に沿って同じ方向に前記Ｎ以下の所定個数の前記分割画像分だけ移動させる
ことを特徴とする請求項１乃至３のうちいずれか１項に記載の電子時計。
【請求項５】
時刻情報を取得する取得部と、
前記取得部が取得した時刻情報に基づいて前記計時部の計時時刻を修正する時刻修正部と、を備える
ことを特徴とする請求項４に記載の電子時計。
【請求項６】
時刻を計時して表示領域に表示すると共に前記表示領域に背景画像をスクロール表示する電子時計の表示制御方法であって、
前記背景画像は、前記表示領域より表示サイズが大きい長尺状の画像であり、
前記背景画像をスクロール表示させる場合、前記表示領域に表示される１画面分の前記背景画像の表示範囲を、前記背景画像の長手方向に沿って同じ方向に一定の速度で移動させ、
前記表示範囲の位置を調整する場合、操作部の操作に応じて前記表示範囲を前記長手方向に沿って移動させる
ことを特徴とする電子時計の表示制御方法。
【発明の詳細な説明】
【技術分野】
【０００１】
本発明は、電子時計および電子時計の表示制御方法に関する。
【背景技術】
【０００２】
特許文献１には、長尺状の絵巻画像を１日周期でスクロール表示する電子時計が記載されている（段落００９０〜段落００９１、図８）。
【先行技術文献】
【特許文献】
【０００３】
【特許文献１】特開２０１５−１３７９３９号公報
【発明の概要】
【発明が解決しようとする課題】
【０００４】
しかしながら、１台の電子時計では、絵巻画像のうち一度に表示できる部分が少なく、絵巻画像の世界観や全体像が把握しづらい。以上の事情を考慮して本発明は、電子時計を複数並べて背景画像を連動してスクロール表示できるようにすることを目的とする。
【課題を解決するための手段】
【０００５】
以上の課題を解決するために、本発明に係る電子時計は、表示部と、時刻を計時する計時部と、背景画像を記憶する記憶部と、前記計時部の計時時刻を前記表示部に表示させると共に、前記表示部に前記背景画像をスクロール表示させる制御部と、操作部と、を備え、前記背景画像は、前記表示部の表示領域より表示サイズが大きい長尺状の画像であり、前記制御部は、前記背景画像をスクロール表示させる場合、前記表示領域に表示される１画面分の前記背景画像の表示範囲を、前記背景画像の長手方向に沿って同じ方向に一定の速度で移動させ、前記表示範囲の位置を調整する場合、前記操作部の操作に応じて前記表示範囲を前記長手方向に沿って移動させることを特徴とする。
【０００６】
この構成によれば、表示領域には、表示領域より表示サイズが大きい長尺状の背景画像が当該背景画像の長手方向に沿って同じ方向に一定の速度でスクロール表示される。また、制御部は、操作部の操作に応じて、表示領域に表示される１画面分の背景画像の表示範囲を背景画像の長手方向に沿って移動させる。したがって、ユーザーは、操作部を操作することで、背景画像の表示範囲の位置を調整することができる。つまり、ユーザーは、スクロール表示される背景画像のうち表示領域に表示される部分を任意の位置に変更することができる。
【０００７】
したがって、ユーザーは、この電子時計を複数台用意して背景画像のスクロール方向に沿って一列に並べ、各電子時計または１台を除く残りの電子時計の操作部を操作して背景画像の表示範囲の位置を調整し、背景画像のうち表示領域に表示される部分が、電子時計の並び順に従って各電子時計で例えば１画面分ずつズレるようにすることで、これら複数の電子時計で背景画像を連動してスクロール表示させることができる。この場合、１台の電子時計で背景画像をスクロール表示させる場合に比べ、背景画像のうち一度に表示できる部分が複数倍に増えるので、その分だけ背景画像の世界観や全体像が把握し易くなる。また、電子時計を複数並べて背景画像を連動してスクロール表示させるという、背景画像の表示について新たな楽しみ方を提供することができる。
【０００８】
また、上述した電子時計において、前記制御部は、前記表示範囲の位置を調整する場合、前記操作部の操作に応じて前記表示範囲を前記長手方向に沿って１画面単位で移動させる構成であってもよい。この場合、操作部の操作に応じて１画面単位で背景画像の表示範囲を移動させることができる。したがって、各電子時計または１台を除く残りの電子時計で背景画像の表示範囲の位置を調整する場合の操作が容易になる。
【０００９】
また、上述した電子時計において、前記背景画像は、前記長手方向に所定の幅を有する複数の分割画像により構成され、前記所定の幅は、前記表示領域の前記長手方向の長さの１／Ｎ（Ｎは１以上の整数）であり、前記制御部は、前記表示範囲の位置を調整する場合、前記操作部の操作に応じて前記表示範囲を前記長手方向に沿って前記分割画像単位で移動させる構成であってもよい。このように１画面単位でなく分割画像単位で背景画像の表示範囲を移動できるようにしてもよい。例えば、２台の電子時計を並べて背景画像を連動してスクロール表示させる場合、２台の電子時計を隙間なく密着させて並べても互いの表示領域の間には離間間隔が生じる。この離間間隔が仮に１個分の分割画像の幅に相当する場合、一方以上の電子時計の操作部を操作して背景画像の表示範囲の位置を調整し、背景画像のうち表示領域に表示される部分が、電子時計の並び順に従って２台の電子時計でＮ＋１個の分割画像分（１画面＋１分割画像分）だけズレるようにすることで、表示領域同士の離間間隔を考慮した背景画像のスクロール表示を行うことが可能になる。
【００１０】
また、上述した電子時計において、前記背景画像は、前記長手方向に所定の幅を有する複数の分割画像により構成され、前記所定の幅は、前記表示領域の前記長手方向の長さの１／Ｎ（Ｎは１以上の整数）であり、前記背景画像のスクロール表示を更新する更新時刻が所定の時間間隔に従って複数定められ、前記制御部は、前記背景画像をスクロール表示させる場合、前記計時部の計時時刻が前記更新時刻になる毎に、前記表示範囲を前記長手方向に沿って同じ方向に前記Ｎ以下の所定個数の前記分割画像分だけ移動させる構成であってもよい。この構成によれば、電子時計を複数並べて背景画像を連動してスクロール表示させる場合に、各電子時計では、更新時刻になる都度、背景画像のスクロール表示が一斉に更新される。したがって、複数の電子時計間でスクロール表示の更新タイミングを同期させることができる。
【００１１】
また、上述した電子時計において、時刻情報を取得する取得部と、前記取得部が取得した時刻情報に基づいて前記計時部の計時時刻を修正する時刻修正部と、を備える構成であってもよい。この構成によれば、計時部の計時時刻を時刻情報に基づいて正確な時刻に修正することができる。したがって、複数の電子時計間で正確に同期をとりながら背景画像を連動してスクロール表示させることができる。
【００１２】
また、本発明に係る電子時計の表示制御方法は、時刻を計時して表示領域に表示すると共に前記表示領域に背景画像をスクロール表示する電子時計の表示制御方法であって、前記背景画像は、前記表示領域より表示サイズが大きい長尺状の画像であり、前記背景画像をスクロール表示させる場合、前記表示領域に表示される１画面分の前記背景画像の表示範囲を、前記背景画像の長手方向に沿って同じ方向に一定の速度で移動させ、前記表示範囲の位置を調整する場合、操作部の操作に応じて前記表示範囲を前記長手方向に沿って移動させることを特徴とする。この発明によれば、上述した電子時計の発明と同様の作用効果を奏する。
【図面の簡単な説明】
【００１３】
【図１】第１実施形態に係る電子時計の外観構成を示す平面図である。
【図２】電子時計の内部構成を示すブロック図である。
【図３】絵巻画像の一例を示す図である。
【図４】絵巻画像のスクロール表示を説明するための模式図である。
【図５】表示モードが絵巻モードの場合の画面表示例である。
【図６】表示位置調整処理のフローチャートである。
【図７】絵巻画像の表示位置の調整を説明するための模式図である。
【図８】デフォルト設定のままの３台の電子時計を絵巻画像のスクロール方向に沿って横一列に並べた状態を示す平面図である。
【図９】絵巻画像の表示位置を１画面分ずつ変更した状態を示す平面図である。
【図１０】絵巻画像のスクロール表示が更新された状態を示す平面図である。
【図１１】絵巻画像の表示位置を調整する場合の変形例を説明するための平面図である。
【図１２】絵巻画像の表示位置を調整する場合の変形例を説明するための模式図である。
【図１３】第２実施形態に係る電子時計の内部構成を示すブロック図である。
【図１４】時刻修正処理のフローチャートである。
【発明を実施するための形態】
【００１４】
以下、図面を参照して本発明に係る実施の形態を説明する。
＜第１実施形態＞
図１は、第１実施形態に係る電子時計１の外観構成を示す平面図である。
同図に示す電子時計１は、デジタル式の腕時計であり、金属等の導電性材料またはセラミック等の非導電性材料で形成された外装ケース５を備える。外装ケース５の正面には矩形状の開口部５Ａが形成され、この開口部５Ａの内側に表示部８０が設けられている。表示部８０には、例えば図１に示すように、電子時計１で計時されている計時時刻が表示される。外装ケース５のうち図中左右方向の側面には、操作部の一例である操作ボタン１０Ａ，１０Ｂが設けられている。ユーザーは、操作ボタン１０Ａ，１０Ｂを操作することで、電子時計１の表示モードを変更したり、各種の設定等を行うことができる。また、外装ケース５のうち図中上下方向の側面には、ベルト取付部６を介してベルト７が取り付けられている。このベルト７により電子時計１がユーザーの手首に装着される。なお、図１ではベルト７の一部の図示を省略している。
【００１５】
図２は、電子時計１の内部構成を示すブロック図である。
電子時計１は、操作ボタン１０Ａ，１０Ｂと、発振回路２０と、分周回路３０と、電源部４０と、制御部５０（主制御部６０および表示制御部７０）と、表示部８０とを備える。操作ボタン１０Ａ，１０Ｂは、操作信号を主制御部６０に出力する。発振回路２０は、水晶振動子を備え、例えば３２７６８ＫＨｚのパルス信号を出力する。分周回路３０は、発振回路２０から出力されるパルス信号を分周し、例えば１Ｈｚの基準クロック信号を出力する。電源部４０は、例えば一次電池を備え、主制御部６０の制御の下、電子時計１の各部に駆動電力を供給する。なお、電源部４０は、一次電池の代わりに二次電池を備えてもよい。この場合、電子時計１は、ソーラーパネルを更に備え、ソーラーパネルが発電した電力で二次電池を充電してもよい。
【００１６】
制御部５０は、電子時計１の全体を制御する主制御部６０と、表示部８０を制御する表示制御部７０とで構成されている。主制御部６０は、ＲＯＭ６２（Read Only Memory）と、ＲＡＭ６４（Random Access Memory）と、計時部６６とを有する。ＲＯＭ６２は、例えば書き換え可能なフラッシュＲＯＭであり、主制御部６０によって実行されるプログラム等が記憶されている。このＲＯＭ６２に記憶されているプログラムには、例えば、後述する表示位置調整処理のプログラムが含まれる。ＲＡＭ６４は、主制御部６０の作業領域として使用される。計時部６６は、分周回路３０から出力される基準クロック信号をカウントし、例えば、年，月，日，時，分，秒からなる時刻を計時する。なお、図２には、主制御部６０の内部に計時部６６を設けた構成を例示したが、計時部６６は、主制御部６０や制御部５０の外部に設けられていてもよい。
【００１７】
表示制御部７０は、ＲＯＭ７２と、ＶＲＡＭ（Video RAM）７４とを有する。ＲＯＭ７２は、背景画像を記憶する記憶部の一例であり、例えば書き換え可能なフラッシュＲＯＭである。このＲＯＭ７２には、後述する絵巻画像（背景画像）の画像データーの他に、時刻表示用の数字や記号等の画像データー、表示制御部７０によって実行されるプログラム等が記憶されている。ＶＲＡＭ７４には、表示部８０に表示する１画面分の画像データーが書き込まれる。表示制御部７０は、主制御部６０からの指示に基づいて表示部８０を制御し、計時時刻の表示や絵巻画像のスクロール表示を行う。
【００１８】
表示部８０は、例えば、アクティブマトリックス方式を採用した白黒２値表示のＥＰＤ（Electrophoretic Display）パネルであり、文字，数字，模様，写真，イラスト等の様々な画像を表示することができる。なお、図２には、制御部５０を主制御部６０と表示制御部７０とに分けた構成を例示したが、これに限られるものではない。例えば、制御部５０は、主制御部６０と表示制御部７０の機能を兼ね備えた１つの制御部であってもよい。
【００１９】
図３は、絵巻画像１００の一例を示す図である。
同図に示す絵巻画像１００は、アフリカのサバンナをイメージした画像であり、ゾウやキリン等の動物が描かれている。また、図中破線で示す矩形状の部分が表示部８０の表示領域８２のサイズである。絵巻画像１００は、Ｘ方向の表示サイズが表示領域８２のＸ方向のサイズより大きい長尺状（横長）の画像である。なお、絵巻画像１００のＹ方向の表示サイズは、表示領域８２のＹ方向のサイズと同じである。
【００２０】
絵巻画像１００は、図中矢印で示す方向（左方向）にスクロール表示される。本実施形態において、絵巻画像１００のスクロール方向は左方向に固定され、絵巻画像１００のスクロール速度は一定である。また、絵巻画像１００は１日周期でスクロール表示される。したがって、毎日、同じ時刻には、絵巻画像１００のうち同じ部分が表示される。例えば、デフォルトの設定では、同図に示すように、０時００分になると絵巻画像１００の左端を含む部分が表示領域８２に表示され、この後、時間の経過に応じて絵巻画像１００のうち表示領域８２に表示される部分が右方向に順次移動していき、２３時００分になると絵巻画像１００の右端を含む部分が表示領域８２に表示される。また、２３時３０分の時点では、２３時００分に表示される部分の右半分と、０時００分に表示される部分の左半分とが表示領域８２に表示される。
【００２１】
なお、絵巻画像１００のスクロール方向は、右方向であってもよく、絵巻画像１００の長手方向のどちらか一方（Ｘ方向またはその反対方向）に固定されていればよい。絵巻画像１００のスクロール速度も一定であればよく、速度自体の値は任意に設定することができる。また、絵巻画像１００のスクロール周期も、１日に限らず、例えば６時間や１２時間、３日等であってもよい。
【００２２】
図４は、絵巻画像１００のスクロール表示を説明するための模式図である。
同図に示すように絵巻画像１００は、Ｘ方向に均等の幅で分割された短冊状の分割画像１５０１，１５０２，１５０３，…により構成されている。本明細書では、特に区別をする必要がない限り、分割画像１５０１，１５０２，１５０３，…の各々を「分割画像１５０」と記載する。同図に示す例の場合、表示領域８２のサイズは、分割画像１５０をＸ方向に４個並べた大きさに相当する。したがって、絵巻画像１００を構成する全ての分割画像１５０のうち、一度に表示領域８２に表示できるのは、Ｘ方向に連続する４個の分割画像１５０になる。
【００２３】
本実施形態では、絵巻画像１００を１５分毎に１コマの割合で左方向にスクロール表示する（１コマ＝１分割画像１５０）。この場合、同図に示すように表示領域８２に４個の分割画像１５０３〜１５０６を表示してから１５分が経過すると、表示領域８２には、次の表示画像として４個の分割画像１５０４〜１５０７が表示される。より具体的に説明すると、表示領域８２のうち左端に表示されていた分割画像１５０３は消去され、この部分に今まで右隣に表示されていた分割画像１５０４が表示される。また、分割画像１５０４が表示されていた部分には、今まで右隣に表示されていた分割画像１５０５が表示され、分割画像１５０５が表示されていた部分には、今まで右隣に表示されていた分割画像１５０６が表示される。また、表示領域８２のうち右端に表示されていた分割画像１５０６の部分には、今まで表示されていなかった右隣の分割画像１５０７が表示される。
【００２４】
また、前述したように絵巻画像１００のスクロール表示を更新する更新間隔は１５分に定められているが、更新間隔だけでなく具体的な更新時刻も毎時００分，１５分，３０分，４５分に定められている。したがって、主制御部６０は、計時部６６の計時時刻が更新時刻になる都度、表示制御部７０に対してスクロール表示の更新を指示する。また、表示制御部７０は、主制御部６０からスクロール表示の更新が指示されると、表示領域８２に表示される１画面分の絵巻画像１００の表示範囲の位置を、Ｘ方向に１コマだけ移動させる。以降、本明細書では、表示領域８２に表示される１画面分の絵巻画像１００の表示範囲の位置を「絵巻画像１００の表示位置」と記載する。
【００２５】
なお、分割画像１５０のＸ方向の幅は、表示領域８２のＸ方向の長さの１／Ｎ（Ｎは１以上の整数）であればよく、例えば、分割画像１５０をＸ方向に１０個並べた大きさが表示領域８２のサイズになるようにしてもよい。また、絵巻画像１００のスクロール表示を更新する場合に、１回の更新で移動できるコマ数は１に限らない。例えば、図４に示したように表示領域８２のサイズが分割画像１５０を４個並べた大きさに相当する場合、１回の更新で移動可能なコマ数は、１以上４以下であればよい。したがって、分割画像１５０のＸ方向の幅が表示領域８２のＸ方向の長さの１／Ｎである場合、１回の更新で移動できるコマ数はＮ以下の所定数に設定することができる。また、スクロール表示の更新間隔は、１５分に限らず、例えば３分や３０分、１時間等であってもよい。スクロール表示の更新時刻も、毎時００分，１５分，３０分，４５分に限らない。
【００２６】
図５は、表示モードが絵巻モードの場合の画面表示例である。
電子時計１は、複数の表示モードを有する。一例を挙げると、例えば図１に示したように計時時刻のみを表示する表示モードがある。また、図５に示すように、表示領域８２のうち右上の部分に計時時刻を表示しつつ、その背景画像として絵巻画像１００をスクロール表示する絵巻モードがある。なお、絵巻モードにおいて、絵巻画像１００はスクロール表示されるが、計時時刻は常に同じ位置に表示される。ユーザーは、操作ボタン１０Ａ，１０Ｂを操作することで、表示モードを切り替えることができる。
【００２７】
また、絵巻モードにおいて、計時時刻の表示は、例えば１分間隔で更新されるのに対し、絵巻画像１００のスクロール表示は、それよりも長い１５分間隔で更新される。このため表示制御部７０は、絵巻モードの場合、例えば２層のレイヤー構造を用いて表示画像を生成する。２層のレイヤーのうち、前面に位置する第１レイヤーを時刻表示用のレイヤーとして定義し、後面に位置する第２レイヤーを背景画像用のレイヤーとして定義した場合、計時時刻を示す数字や記号の画像は第１レイヤーの画像になり、絵巻画像１００は第２レイヤーの画像になる。表示制御部７０は、レイヤー毎に個別に画像を編集することが可能であり、第１レイヤーの画像と第２レイヤーの画像とを重ねて合わせて１画面分の表示画像を生成し、ＶＲＡＭ７４に書き込む。
【００２８】
なお、絵巻モードにおいて表示画像を生成する方法は、２層のレイヤー構造を用いた方法に限らない。また、図５に示すように数字や記号を用いて計時時刻を表示する代わりに、時針と分針を有するアナログ時計の画像を用いて計時時刻を表示してもよい。また、表示モードは絵巻モードのみであってもよい。
【００２９】
また、表示部８０（白黒２値表示のＥＰＤパネル）は、計時時刻の表示を更新する場合や、絵巻画像１００のスクロール表示を更新する場合等、表示画像を更新する場合に、まず、更新前の元の表示画像のうち、黒色の画素には電圧を印加せず（０Ｖを印加し）、白色の画素のみに負（または正）の電圧を印加する部分駆動方式を用いて全面黒色の表示画像を表示領域８２に表示した後、さらに全画素に負（または正）の電圧を印加する全面駆動方式を用いて全面黒色の表示画像を表示領域８２に再表示する。
【００３０】
次に、表示部８０は、全画素に正（または負）の電圧を印加する全面駆動方式を用いて全面白色の表示画像を表示領域８２に表示した後、さらに元の表示画像において白色だった画素には電圧を印加せず（０Ｖを印加し）、元の表示画像において黒色だった画素のみに正（または負）の電圧を印加する部分駆動方式を用いて全面白色の表示画像を表示領域８２に再表示する。この後、表示部８０は、次の表示画像を、白色の画素には電圧を印加せず（０Ｖを印加し）、黒色の画素のみに負（または正）の電圧を印加する部分駆動方式を用いて表示領域８２に表示する。
【００３１】
このように表示部８０は、表示画像を更新する場合に、部分駆動方式と全面駆動方式を用いて全面黒色の表示画像を表示し、さらに全面駆動方式と部分駆動方式を用いて全面白色の表示画像を表示して元の表示画像を消去した後、部分駆動方式を用いて次の表示画像を表示する。したがって、全画素が白色の状態から次の表示画像を表示することができるので、表示画像毎に色合いが変わるといった問題が生じにくい。また、表示部８０（ＥＰＤパネル）の各画素電極と共通電極との間に印加される電界の時間平均がほぼゼロになりＤＣバランスがとれるため、ＥＰＤパネルの長期信頼性を高めることができる。
【００３２】
このように電子時計１では、表示画像の更新時に短時間ではあるが全面黒色の表示画像や全面白色の表示画像が表示される。つまり、絵巻画像１００のスクロール表示を更新する都度、短時間ではあるが全面黒色の表示画像や全面白色の表示画像が表示される。また、前述したように電子時計１では、スクロール表示の更新間隔が１５分と比較的長い時間であることに加え、１回の更新でスクロールされる量も表示領域８２の１／４に及ぶ等、比較的大きいので、なめらかなスクロール表示ではない。しかしながら、時間の経過に応じて表示する部分を移動させながら絵巻画像１００を表示していることに変わりはないので、スクロール表示の概念に含まれる。
【００３３】
図６は、表示位置調整処理のフローチャートである。
表示位置調整処理は、操作ボタン１０Ａ，１０Ｂの操作に応じて絵巻画像１００の表示位置を調整する処理である。この処理は、例えば、絵巻モードにおいて操作ボタン１０Ａおよび操作ボタン１０Ｂが同時に１秒以上長押しされた場合に主制御部６０により実行される。
【００３４】
表示位置調整処理を開始すると、まず、主制御部６０は、操作ボタン１０Ａが押下されたか否かを判定する（Ｓ１０１）。その結果、操作ボタン１０Ａが押下されたと判定した場合（Ｓ１０１：ＹＥＳ）、主制御部６０は、表示制御部７０に対し、絵巻画像１００の表示位置を−４コマだけ移動するよう指示する（Ｓ１０２）。この指示に応じて表示制御部７０は、絵巻画像１００の表示位置を変更する。
【００３５】
具体的には、例えば図７において、絵巻画像１００の現在の表示位置が表示位置δであった場合、表示制御部７０は、操作ボタン１０Ａが１回押されると、絵巻画像１００の表示位置を表示位置δから−４コマだけ移動させて表示位置γに変更する。また、操作ボタン１０Ａがさらにもう１回押されると、表示制御部７０は、絵巻画像１００の表示位置を表示位置γからさらに−４コマだけ移動させて表示位置βに変更する。
【００３６】
なお、絵巻画像１００の表示位置を変更した場合、表示制御部７０は、変更後の表示位置に対応する４個の分割画像１５０をＶＲＡＭ７４に書き込む。また、表示部８０は、ＶＲＡＭ７４に書き込まれた１画面分の表示画像を表示領域８２に表示する。したがって、絵巻画像１００の表示位置を変更すると、表示領域８２に表示されている表示画像も変更される。
【００３７】
例えば、絵巻画像１００の表示位置が表示位置δであった場合、表示領域８２には４個の分割画像１５０１３〜１５０１６が表示されている。この状態で操作ボタン１０Ａが１回押されると、表示領域８２には４個の分割画像１５０９〜１５０１２が表示される。また、操作ボタン１０Ａがさらにもう１回押されると、表示領域８２には４個の分割画像１５０５〜１５０８が表示される。このように表示位置調整処理では、操作ボタン１０Ａが押される都度、絵巻画像１００のうち表示領域８２に表示されている部分を−４コマ分（１画面分）だけ移動させる。
【００３８】
また、図７に示す時刻と表示位置との関係がデフォルトの設定である。すなわち、デフォルトの設定では、絵巻画像１００の表示位置が、０時（０時００分〜０時１５分未満）の場合に表示位置αとなり、１時（１時００分〜１時１５分未満）の場合に表示位置βとなり、２時（２時００分〜２時１５分未満）の場合に表示位置γとなる。また、０時１５分〜０時３０分未満の場合は、４個の分割画像１５０２〜１５０５に対応する部分が絵巻画像１００の表示位置になり、０時３０分〜０時４５分未満の場合は、４個の分割画像１５０３〜１５０６に対応する部分が絵巻画像１００の表示位置になり、０時４５分〜１時００分未満の場合は、４個の分割画像１５０４〜１５０７に対応する部分が絵巻画像１００の表示位置になる。
【００３９】
例えば、現在の時刻が３時であった場合、絵巻画像１００の表示位置は表示位置δになる。この状態で操作ボタン１０Ａが１回押されると、デフォルトの設定では２時（２時００分〜２時１５分未満）に表示されていた４個の分割画像１５０９〜１５０１２が３時（３時００分〜３時１５分未満）の段階で表示されることになる。したがって、操作ボタン１０Ａを１回押すと、スクロール表示される絵巻画像１００を１時間分（１画面分）だけ後に遅らせることになる。また、操作ボタン１０Ａを２回押すと、スクロール表示される絵巻画像１００を２時間分（２画面分）だけ後に遅らせることになる。
【００４０】
一方、操作ボタン１０Ａが押下されていないと判定した場合（Ｓ１０１：ＮＯ）、主制御部６０は、操作ボタン１０Ｂが押下されたか否かを判定する（Ｓ１０３）。その結果、操作ボタン１０Ｂが押下されたと判定した場合（Ｓ１０３：ＹＥＳ）、主制御部６０は、表示制御部７０に対し、絵巻画像１００の表示位置を＋４コマだけ移動するよう指示する（Ｓ１０４）。この指示に応じて表示制御部７０は、絵巻画像１００の表示位置を変更する。
【００４１】
具体的には、例えば図７において、絵巻画像１００の現在の表示位置が表示位置αであった場合、表示制御部７０は、操作ボタン１０Ｂが１回押されると、絵巻画像１００の表示位置を表示位置αから＋４コマだけ移動させて表示位置βに変更する。また、操作ボタン１０Ｂがさらにもう１回押されると、表示制御部７０は、絵巻画像１００の表示位置を表示位置βからさらに＋４コマだけ移動させて表示位置γに変更する。
【００４２】
この場合も、絵巻画像１００の表示位置を変更すると、表示領域８２に表示されている１画面分の表示画像が変更される。例えば、絵巻画像１００の表示位置が表示位置αであった場合、表示領域８２には４個の分割画像１５０１〜１５０４が表示されている。この状態で操作ボタン１０Ｂが１回押されると、表示領域８２には４個の分割画像１５０５〜１５０８が表示される。また、操作ボタン１０Ｂがさらにもう１回押されると、表示領域８２には４個の分割画像１５０９〜１５０１２が表示される。このように表示位置調整処理では、操作ボタン１０Ｂが押される都度、絵巻画像１００のうち表示領域８２に表示されている部分を＋４コマ分（１画面分）だけ移動させる。
【００４３】
例えば、現在の時刻が０時であった場合、絵巻画像１００の表示位置は表示位置αになる。この状態で操作ボタン１０Ｂが１回押されると、デフォルトの設定では１時（１時００分〜１時１５分未満）に表示される４個の分割画像１５０５〜１５０８が０時（０時００分〜０時１５分未満）の段階で表示されることになる。したがって、操作ボタン１０Ｂを１回押すと、スクロール表示される絵巻画像１００を１時間分（１画面分）だけ前に進めることになる。また、操作ボタン１０Ｂを２回押すと、スクロール表示される絵巻画像１００を２時間分（２画面分）だけ前に進めることになる。
【００４４】
なお、表示位置調整処理の実行中に、例えばユーザーが操作ボタン１０Ａまたは操作ボタン１０Ｂを１秒以上長押した場合、主制御部６０は、表示制御部７０に対し、絵巻画像１００の表示位置をリセットするよう指示する。この指示に応じて表示制御部７０は、絵巻画像１００の表示位置をデフォルトの設定に戻す。このように絵巻画像１００の表示位置をデフォルトの設定に戻せるようにしてもよい。
【００４５】
次に、Ｓ１０３の判定結果がＮＯの場合と、Ｓ１０２の処理を終えた場合と、Ｓ１０４の処理を終えた場合、主制御部６０は、絵巻画像１００の表示位置の調整が終了したか否かを判定する（Ｓ１０５）。例えば、表示位置調整処理の実行中にユーザーが操作ボタン１０Ａおよび操作ボタン１０Ｂを同時に１秒以上長押した場合、主制御部６０は、調整が終了したと判定し（Ｓ１０５：ＹＥＳ）、表示位置調整処理を終える。一方、調整が終了していないと判定した場合（Ｓ１０５：ＮＯ）、主制御部６０は、処理をＳ１０１に戻す。
【００４６】
以上説明した表示位置調整処理によれば、ユーザーは、操作ボタン１０Ａ，１０Ｂを操作することで、絵巻画像１００の表示位置を１画面単位で調整することができる。つまり、ユーザーは、スクロール表示される絵巻画像１００のうち表示領域８２に表示される部分を１画面単位で任意の位置に変更することができる。なお、表示位置調整処理において、操作ボタン１０Ａや操作ボタン１０Ｂを１回押下した場合に、絵巻画像１００の表示位置を４コマ移動させるのではなく、１コマ移動させるようにしてもよい。このように１画面単位でなく分割画像１５０単位で絵巻画像１００の表示位置を移動できるようにしてもよい。但し、この場合は、絵巻画像１００の表示位置を１画面分だけ移動させるために、操作ボタン１０Ａや操作ボタン１０Ｂを４回押下する必要がある。
【００４７】
次に、以上説明した電子時計１を複数並べて絵巻画像１００を連動してスクロール表示させる場合について説明する。なお、以下では、３台の電子時計１を用いた場合を説明するが、３台に限らず２台以上の電子時計１を並べて絵巻画像１００をスクロール表示させることができる。
【００４８】
例えば、図８に示すように３台の電子時計１Ａ〜１Ｃを使用する場合、ユーザーは、３台の電子時計１Ａ〜１Ｃを絵巻画像１００のスクロール方向に沿って横一列に並べる。なお、３台の電子時計１Ａ〜１Ｃは、いずれも同じ電子時計１であり、便宜上、図中左から順に１Ａ，１Ｂ，１Ｃの符号を付与している。また、３台の電子時計１Ａ〜１Ｃは、同じ電子時計１であるから、以下の［１］〜［５］が全て同じになる。
【００４９】
［１］スクロール表示する絵巻画像１００（図３）。
［２］絵巻画像１００のスクロール方向（左方向）。
［３］絵巻画像１００のスクロール速度（１５分毎に１コマ）。
［４］スクロール表示の更新時刻（毎時００分，１５分，３０分，４５分）。
［５］絵巻画像１００の表示位置のデフォルト設定。
【００５０】
また、図８に示す３台の電子時計１Ａ〜１Ｃは、いずれも絵巻画像１００の表示位置がデフォルト設定のままであり変更されていない。このため３台とも表示領域８２には絵巻画像１００のうち同じ部分が表示されている。
【００５１】
次に、ユーザーは、横一列に並べた３台の電子時計１Ａ〜１Ｃのうち、いずれか２台について操作ボタン１０Ａ，１０Ｂを操作して絵巻画像１００の表示位置を調整する。ここでは、図８において、左端の電子時計１Ａについては絵巻画像１００の表示位置をデフォルト設定のままとし、残りの２台の電子時計１Ｂ，１Ｃについて絵巻画像１００の表示位置を調整する場合を説明する。
【００５２】
この場合、ユーザーは、中央の電子時計１Ｂについては、表示位置調整処理（図６）において操作ボタン１０Ｂを１回押下し、絵巻画像１００の表示位置を１画面分だけ先に進ませる。また、右端の電子時計１Ｃについては、表示位置調整処理において操作ボタン１０Ｂを２回押下し、絵巻画像１００の表示位置を２画面分だけ先に進ませる。
【００５３】
以上によれば、前述した表示位置調整処理の説明および図７を参照すると明らかになるように、電子時計１Ａの表示領域８２には４個の分割画像１５０１〜１５０４が表示され、電子時計１Ｂの表示領域８２には４個の分割画像１５０５〜１５０８が表示され、電子時計１Ｃの表示領域８２には４個の分割画像１５０９〜１５０１２が表示される。したがって、横一列に並べた電子時計１Ａ〜１Ｃに備わる計３個の表示領域８２には、絵巻画像１００のうち連続する１２個の分割画像１５０１〜１５０１２が表示され、図９に示す状態になる。
【００５４】
また、３台の電子時計１Ａ〜１Ｃは、スクロール表示の更新時刻が同じであるので（毎時００分，１５分，３０分，４５分）、図９に示す状態の後、０時１５分になると、絵巻画像１００のスクロール表示が一斉に更新される。前述したように絵巻画像１００のスクロール表示は、１５分毎に１コマの割合で更新される。したがって、０時１５分になると、電子時計１Ａの表示領域８２には４個の分割画像１５０２〜１５０５が表示され、電子時計１Ｂの表示領域８２には４個の分割画像１５０６〜１５０９が表示され、電子時計１Ｃの表示領域８２には４個の分割画像１５０１０〜１５０１３が表示される。このため電子時計１Ａ〜１Ｃに備わる計３個の表示領域８２には、絵巻画像１００のうち連続する１２個の分割画像１５０２〜１５０１３が表示され、図１０に示す状態になる。
【００５５】
なお、絵巻画像１００のスクロール表示を更新する場合の動作は、以下の通りである。主制御部６０は、計時部６６の計時時刻が更新時刻になる都度、表示制御部７０に対してスクロール表示の更新を指示する。表示制御部７０は、主制御部６０からスクロール表示の更新が指示されると、主制御部６０から別途通知される計時時刻に基づいて第１レイヤーの画像（計時時刻を示す数字や記号の画像）を更新する。また、表示制御部７０は、絵巻画像１００の表示位置を１コマ進め、第２レイヤーの画像（絵巻画像１００）のうち表示領域８２に表示する４個の分割画像１５０を決定する。この後、表示制御部７０は、第１レイヤーの画像と第２レイヤーの画像とを重ねて合わせて１画面分の表示画像を生成し、ＶＲＡＭ７４に書き込む。また、表示部８０は、表示制御部７０の制御の下、ＶＲＡＭ７４に書き込まれた１画面分の表示画像を表示領域８２に表示する。
【００５６】
このように絵巻画像１００の表示位置を調整し終えると、以降、更新時刻が訪れる都度、３台の電子時計１Ａ〜１Ｃの各々で絵巻画像１００のスクロール表示が更新される。例えば、電子時計１Ａの表示領域８２の左端に表示される分割画像１５０を分割画像１５０Ｍとしたとき（Ｍは１以上の整数）、電子時計１Ａの表示領域８２には４個の分割画像１５０Ｍ〜１５０Ｍ＋３が表示され、電子時計１Ｂの表示領域８２には４個の分割画像１５０Ｍ＋４〜１５０Ｍ＋７が表示され、電子時計１Ｃの表示領域８２には４個の分割画像１５０Ｍ＋８〜１５０Ｍ＋１１が表示される。また、スクロール表示が更新される都度、Ｍが１ずつ増えていく。
【００５７】
したがって、電子時計１Ａ〜１Ｃに備わる計３個の表示領域８２には、絵巻画像１００のうち連続する１２個の１５０が表示され、１５分毎に１コマの割合で左方向にスクロール表示される。よって、横一列に並べた３台の電子時計１Ａ〜１Ｃで絵巻画像１００を連動してスクロール表示させることができる。
【００５８】
なお、右端の電子時計１Ｃをデフォルト設定のままとし、残りの２台の電子時計１Ａ，１Ｂについて絵巻画像１００の表示位置を調整してもよい。この場合、中央の電子時計１Ｂについては、表示位置調整処理において操作ボタン１０Ａを１回押下し、絵巻画像１００の表示位置を１画面分だけ後ろに遅らせ、左端の電子時計１Ａについては、表示位置調整処理において操作ボタン１０Ａを２回押下し、絵巻画像１００の表示位置を２画面分だけ後ろに遅らせればよい。
【００５９】
また、中央の電子時計１Ｂをデフォルト設定のままとし、両脇の電子時計１Ａ，１Ｃについて絵巻画像１００の表示位置を調整してもよい。この場合、左端の電子時計１Ａについては、表示位置調整処理において操作ボタン１０Ａを１回押下し、絵巻画像１００の表示位置を１画面分だけ後ろに遅らせ、右端の電子時計１Ｃについては、表示位置調整処理において操作ボタン１０Ｂを１回押下し、絵巻画像１００の表示位置を１画面分だけ前に進ませればよい。また、３台とも絵巻画像１００の表示位置を調整してもよい。
【００６０】
次に、図１１および図１２は、絵巻画像１００の表示位置を調整する場合の変形例を説明するための図である。３台の電子時計１Ａ〜１Ｃを横一列に並べた場合、電子時計１Ａの表示領域８２と電子時計１Ｂの表示領域８２の間には、離間間隔Ｄが存在する。同様に、電子時計１Ｂの表示領域８２と電子時計１Ｃの表示領域８２の間にも、離間間隔Ｄが存在する。この離間間隔Ｄは、図１１から明らかとなるように分割画像１５０のＸ方向の幅より若干大きい程度である。そこで、この離間間隔Ｄを考慮し、電子時計１Ａの表示領域８２と電子時計１Ｂの表示領域８２の間と、電子時計１Ｂの表示領域８２と電子時計１Ｃの表示領域８２の間で、分割画像１５０を１コマだけ抜いた形で絵巻画像１００のスクロール表示を行うようにしてもよい。
【００６１】
この場合、具体的には、例えば図１２において、絵巻画像１００の現在の表示位置が表示位置γであった場合、表示制御部７０は、表示位置調整処理において操作ボタン１０Ａが１回押されると、絵巻画像１００の表示位置を表示位置γから−５コマだけ移動させて表示位置βに変更し、操作ボタン１０Ａがさらにもう１回押されると、絵巻画像１００の表示位置を表示位置βからさらに−５コマだけ移動させて表示位置αに変更すればよい。
【００６２】
また、図１２において、絵巻画像１００の現在の表示位置が表示位置αであった場合、表示制御部７０は、表示位置調整処理において操作ボタン１０Ｂが１回押されると、絵巻画像１００の表示位置を表示位置αから＋５コマだけ移動させて表示位置βに変更し、操作ボタン１０Ｂがさらにもう１回押されると絵巻画像１００の表示位置を、表示位置βからさらに＋５コマだけ移動させて表示位置γに変更すればよい。
【００６３】
つまり、前述した表示位置調整処理（図６）において、Ｓ１０２の部分の「−４コマ」を「−５コマ」に置き換えると共に、Ｓ１０４の部分の「＋４コマ」を「＋５コマ」に置き換えればよい。この場合、図８に示した状態から、中央の電子時計１Ｂについては、表示位置調整処理において操作ボタン１０Ｂを１回押下し、絵巻画像１００の表示位置を５コマ（１画面＋１分割画像）だけ先に進ませ、右端の電子時計１Ｃについては、表示位置調整処理において操作ボタン１０Ｂを２回押下し、絵巻画像１００の表示位置を１０コマ（２画面＋２分割画像）分だけ先に進ませると、図１１に示した状態になる。
【００６４】
この図１１に示す状態の場合、図１２からも明らかとなるように、電子時計１Ａの表示領域８２には４個の分割画像１５０１〜１５０４が表示され、電子時計１Ｂの表示領域８２には４個の分割画像１５０６〜１５０９が表示され、電子時計１Ｃの表示領域８２には４個の分割画像１５０１１〜１５０１４が表示される。したがって、分割画像１５０５と分割画像１５０１０が表示されずに抜けている。しかしながら、分割画像１５０５は、電子時計１Ａの表示領域８２と電子時計１Ｂの表示領域８２の間の離間間隔Ｄに相当する部分になる。また、分割画像１５０１０は、電子時計１Ｂの表示領域８２と電子時計１Ｃの表示領域８２の間の離間間隔Ｄに相当する部分になる。
【００６５】
例えば、電子時計１Ａの表示領域８２の左端に表示される分割画像１５０を分割画像１５０Ｍとしたとき、電子時計１Ａの表示領域８２には４個の分割画像１５０Ｍ〜１５０Ｍ＋３が表示され、電子時計１Ｂの表示領域８２には４個の分割画像１５０Ｍ＋５〜１５０Ｍ＋８が表示され、電子時計１Ｃの表示領域８２には４個の分割画像１５０Ｍ＋１０〜１５０Ｍ＋１３が表示される。また、スクロール表示が更新される都度、Ｍが１ずつ増えていく。したがって、表示されない２つの分割画像１５０Ｍ＋４，１５０Ｍ＋９は、常に表示領域８２同士の離間間隔Ｄに相当する部分になる。
【００６６】
以上のように表示領域８２同士の離間間隔Ｄを考慮し、電子時計１Ａの表示領域８２と電子時計１Ｂの表示領域８２の間と、電子時計１Ｂの表示領域８２と電子時計１Ｃの表示領域８２の間で、分割画像１５０を１コマだけ抜いた形で絵巻画像１００のスクロール表示を行うようにしてもよい。
【００６７】
なお、以上説明したように操作ボタン１０Ａや操作ボタン１０の操作に応じて絵巻画像１００の表示位置を５コマ分だけ移動させる態様も、絵巻画像１００の表示位置を分割画像１５０単位で移動させることに含まれる。また、前述したように分割画像１５０のＸ方向の幅は、表示領域８２のＸ方向の長さの１／Ｎであればよい。したがって、離間間隔Ｄに相当する分割画像１５０の個数は、１に限らない。例えば、離間間隔Ｄに相当する分割画像１５０の個数をＬとしたとき（Ｌは１以上の整数）、前述した表示位置調整処理（図６）のＳ１０２およびＳ１０４では、絵巻画像１００の表示位置をＮ＋Ｌコマ（１画面＋離間間隔Ｄ）だけ移動させればよい。
【００６８】
以上説明したように本実施形態によれば、表示領域８２には、表示領域８２より表示サイズが大きい長尺状の絵巻画像１００が、絵巻画像１００の長手方向に沿って同じ方向に一定の速度でスクロール表示される。また、制御部５０は、表示位置調整処理が実行されると、操作ボタン１０Ａ，１０Ｂの操作に応じて、絵巻画像１００の表示位置を絵巻画像１００の長手方向に沿って１画面単位または分割画像１５０単位で移動させる。したがって、ユーザーは、操作ボタン１０Ａ，１０Ｂを操作することで、絵巻画像１００の表示位置を調整することができる。つまり、ユーザーは、スクロール表示される絵巻画像１００のうち表示領域８２に表示される部分を任意の位置に変更することができる。
【００６９】
したがって、ユーザーは、この電子時計１を複数台用意して絵巻画像１００のスクロール方向に沿って一列に並べ、各電子時計１または１台を除く残りの電子時計１の操作ボタン１０Ａ，１０Ｂを操作して絵巻画像１００の表示位置を調整し、絵巻画像１００のうち表示領域８２に表示される部分が、電子時計１の並び順に従って各電子時計１で例えば１画面分ずつズレるようにすることで、これら複数の電子時計１で絵巻画像１００を連動してスクロール表示させることができる。この場合、１台の電子時計１で絵巻画像１００をスクロール表示させる場合に比べ、絵巻画像１００のうち一度に表示できる部分が複数倍に増えるので、その分だけ絵巻画像１００の世界観や全体像が把握し易くなる。また、電子時計１を複数並べて絵巻画像１００を連動してスクロール表示させるという、絵巻画像１００の表示について新たな楽しみ方を提供することができる。
【００７０】
なお、操作ボタン１０Ａ，１０Ｂの操作に応じて絵巻画像１００の表示位置を１画面単位で移動させる構成であると、各電子時計１または１台を除く残りの電子時計１で絵巻画像１００の表示位置を調整する場合の操作が容易になる。また、操作ボタン１０Ａ，１０Ｂの操作に応じて絵巻画像１００の表示位置を分割画像１５０単位で移動させる構成であると、表示領域８２同士の離間間隔Ｄを考慮した絵巻画像１００のスクロール表示を行うことが可能になる。また、本実施形態によれば、絵巻画像１００のスクロール表示を更新する更新時刻（毎時００分，１５分，３０分，４５分）を定めているので、複数の電子時計１間でスクロール表示の更新タイミングを同期させることができる。
【００７１】
本発明の具体的な利用シーンの一例を挙げると以下の通りである。
［Ａ］１人のユーザーが電子時計１を複数所有しており、所有している複数の電子時計１を並べて絵巻画像１００を連動してスクロール表示させる。
［Ｂ］同じ電子時計１を所有している仲間同士で集まり、各々の電子時計１を並べて絵巻画像１００を連動してスクロール表示させる。
［Ｃ］電子時計１の販売店でデモンストレーション表示として、複数の電子時計１を並べて絵巻画像１００を連動してスクロール表示させる。
【００７２】
＜第２実施形態＞
本発明の第２実施形態について説明する。なお、第１実施形態と同じ構成要素については、第１実施形態の説明で使用した符号を流用し、説明を適宜省略する。
【００７３】
図１３は、第２実施形態に係る電子時計２の内部構成を示すブロック図である。
同図に示す電子時計２は、標準電波を受信して計時時刻を修正する機能を有する腕時計型の電波時計である。この電子時計２は、第１実施形態で説明した電子時計１（図２）に対し、受信部９０、アンテナ９２および時刻修正部６８が追加されている点で構成が相違する。受信部９０は、時刻情報を取得する取得部の一例であり、主制御部６００の制御の下、アンテナ９２を介して標準電波を受信する。また、受信部９０は、受信した標準電波を復調してデコードし、標準電波に含まれる時刻情報等を主制御部６００に出力する。
【００７４】
時刻修正部６８は、受信部９０が受信した標準電波に含まれている時刻情報に基づいて計時部６６の計時時刻を修正する。なお、第１実施形態でも説明したように、計時部６６は、主制御部６００や制御部５００の外部に設けられていてもよく、これは時刻修正部６８についても同様である。また、主制御部６００内のＲＯＭ６２には、後述する時刻修正処理のプログラムが記憶されている。
【００７５】
図１４は、時刻修正処理のフローチャートである。
時刻修正処理は、例えば午前２時等、計時部６６の計時時刻が予め定められた時刻になると主制御部６００により実行される（自動受信モード）。また、時刻修正処理は、ユーザーが操作ボタン１０Ａ，１０Ｂを操作して強制受信モードに移行した場合にも実行される。このように時刻修正処理は、２４時間毎に自動的に実行される他、強制受信モードに移行する操作が行われたタイミングでも実行される。なお、自動受信モードにおいて時刻修正処理を実行する周期は、２４時間に限らず、例えば１時間や６時間等であってもよい。
【００７６】
時刻修正処理を開始すると、主制御部６００は、受信部９０を制御して標準電波を受信する処理を行う（Ｓ２０１）。ここでは、受信部９０が、アンテナ９２を介して標準電波を受信すると共に、受信した標準電波を復調してデコードし、標準電波に含まれる時刻情報等を主制御部６００に出力する。なお、標準電波は、１分間隔で繰り返し送信されるフレームを有する電波信号である。各フレームには、フレームの先頭に位置する先頭マーカーの時刻を示す時刻情報（年，その年の１月１日からの通算日，時，分）が含まれている。また、先頭マーカーの位置は正分（毎分０秒）の立ち上がりに対応している。
【００７７】
次に、主制御部６００は、時刻情報の受信に成功したか否かを判定する（Ｓ２０２）。例えば、主制御部６００は、１分間隔で繰り返し送信されている標準電波を３回連続して受信部９０に受信させ、そこから得られる３個の時刻情報が１分ずつ異なる時刻を示している場合に時刻情報の受信に成功したと判定し（Ｓ２０２：ＹＥＳ）、そうでない場合に時刻情報の受信に失敗したと判定する（Ｓ２０２：ＮＯ）。
【００７８】
また、Ｓ２０２において主制御部６００は、受信した時刻情報と計時部６６の計時時刻とを比較して、両者の差分が所定の範囲内にある場合に時刻情報の受信に成功したと判定し（Ｓ２０２：ＹＥＳ）、両者の差分が所定の範囲内にない場合に時刻情報の受信に失敗したと判定（Ｓ２０２：ＮＯ）してもよい。また、Ｓ２０２において主制御部６００は、標準電波に含まれているパリティビットを用いて、受信した時刻情報に伝送誤りが生じているか否かを検査し、伝送誤りが生じていない場合に時刻情報の受信に成功したと判定し（Ｓ２０２：ＹＥＳ）、伝送誤りが生じている場合に時刻情報の受信に失敗したと判定（Ｓ２０２：ＮＯ）してもよい。これら２つの方法によれば、１フレーム分の標準電波を受信するだけで、時刻情報の受信の成否を判定することができる。なお、時刻情報の受信に失敗したと判定した場合（Ｓ２０２：ＮＯ）、主制御部６００は、時刻修正処理を終える。
【００７９】
また、時刻情報の受信に成功したと判定した場合（Ｓ２０２：ＹＥＳ）、主制御部６００（時刻修正部６８）は、計時部６６の計時時刻を修正し（Ｓ２０３）、時刻修正処理を終える。例えば、標準電波を３回連続して受信して時刻情報の受信に成功したと判定した場合、時刻修正部６８は、３回目に受信した時刻情報に１分を加算し、この時刻情報に対応するカウント値を、次の先頭マーカーを受信したタイミングで計時部６６内の計時カウンターに書き込む。これにより計時部６６の計時時刻が、受信した時刻情報に基づいて正確な時刻に修正される。また、計時時刻との比較やパリティチェックで時刻情報の受信に成功したと判定した場合も、時刻修正部６８は、受信に成功した時刻情報に１分を加算し、この時刻情報に対応するカウント値を、次の先頭マーカーを受信したタイミングで計時部６６内の計時カウンターに書き込み、計時部６６の計時時刻を修正する。
【００８０】
以上説明したように本実施形態によれば、計時部６６の計時時刻を時刻情報に基づいて正確な時刻に修正することができる。例えば、第１実施形態で説明した電子時計１の場合、計時部６６の計時時刻は、ユーザーが手動で修正しない限り、時間の経過に応じて徐々に正確な時刻からズレてしまう。したがって、電子時計１を複数並べて絵巻画像１００を連動してスクロール表示させる場合に、複数の電子時計１間におけるスクロール表示の同期がズレてしまう。これに対し、本実施形態によれば、計時部６６の計時時刻は、時刻修正処理によって自動的に正確な時刻に修正されるので、複数の電子時計１間で正確に同期をとりながら絵巻画像１００を連動してスクロール表示させることができる。
【００８１】
＜変形例＞
以上に例示した各実施形態は多様に変形され得る。具体的な変形の態様を以下に例示する。なお、以下の例示から任意に選択された２以上の態様は、相互に矛盾しない範囲で適宜組み合わせることができる。
【００８２】
（１）絵巻画像１００は、必ずしも複数の分割画像１５０に分割されている必要はなく、絵巻画像１００の長手方向に沿って同じ方向に一定の速度でスクロール表示されればよい。これに関連して絵巻画像１００の表示位置の調整についても、操作ボタン１０Ａ，１０Ｂの操作に応じて１画面単位または分割画像１５０単位で変更される態様に限らない。また、絵巻画像１００の表示位置を調整する際に操作する操作ボタンとして、操作ボタン１０Ａと操作ボタン１０Ｂのいずれか一方のみを備える構成であってもよい。
【００８３】
（２）縦長の絵巻画像を用意して上方向または下方向に絵巻画像をスクロール表示してもよい。この場合、複数の電子時計を縦方向に並べることで絵巻画像を連動してスクロール表示させることができる。表示制御部７０は、表示画像を更新する際、全面黒色の表示画像や全面白色の表示画像を表示しない構成であってもよい。絵巻画像１００の絵柄は、図３に例示したものに限らず、例えば、街並みをイメージした画像，世界旅行をイメージした画像，様々な動物が乗っている列車の画像，モアレや幾何学模様の画像等であってもよい。
【００８４】
（３）第２実施形態において、電子時計２は、ＧＰＳ（Global Positioning System）衛星から時刻情報を含む衛星信号を受信して計時時刻を修正する機能を有する腕時計であってもよい。また、電子時計２は、受信部として、Bluetooth（登録商標）やＮＦＣ（Near Field Communication）等の近距離無線通信部を備え、パーソナルコンピューターやスマートフォンを介してネットワーク経由で時刻情報を受信してもよい。また、電子時計２は、通信ケーブルを介して時刻情報を受信してもよく、時刻情報を受信（取得）する形態は、無線に限らず有線であってもよい。
【００８５】
（４）計時部６６で計時される時刻は、年，月，日，時，分，秒で構成される時刻に限らない。例えば、時，分，秒あるいは時，分のみで構成される時刻であってもよい。これは、表示部８０に表示される計時時刻についても同様である。表示部８０は、白黒２値表示のＥＰＤパネルに限らず、カラー表示のＥＰＤパネルであってもよい。また、表示部８０は、ＥＰＤパネルに限らず、液晶表示パネルや有機ＥＬ（Electro Luminescence）パネル等であってもよい。電子時計１，２は、腕時計に限らず、置時計，掛け時計，懐中時計等であってもよい。
【符号の説明】
【００８６】
１，１Ａ，１Ｂ，１Ｃ，２…電子時計、５…外装ケース、５Ａ…開口部、６…ベルト取付部、７…ベルト、１０Ａ，１０Ｂ…操作ボタン、２０…発振回路、３０…分周回路、４０…電源部、５０，５００…制御部、６０，６００…主制御部、６２…ＲＯＭ、６４…ＲＡＭ、６６…計時部、６８…時刻修正部、７０…表示制御部、７２…ＲＯＭ、７４…ＶＲＡＭ、８０…表示部、８２…表示領域、９０…受信部、９２…アンテナ、１００…絵巻画像、１５０１〜１５０１７…分割画像、α，β，γ，δ…表示位置、Ｄ…離間間隔。
【図１】
2017083176.tif 000003
【図２】
2017083176.tif 000004
【図３】
2017083176.tif 000005
【図４】
2017083176.tif 000006
【図５】
2017083176.tif 000007
【図６】
2017083176.tif 000008
【図７】
2017083176.tif 000009
【図８】
2017083176.tif 000010
【図９】
2017083176.tif 000011
【図１０】
2017083176.tif 000012
【図１１】
2017083176.tif 000013
【図１２】
2017083176.tif 000014
【図１３】
2017083176.tif 000015
【図１４】
2017083176.tif 000016